(57)【要約】【課題】光情報記録媒体への情報の再生、記録を省スペースの２光路の光学系によって好適に構成するための光学素子を提供すること。【解決手段】光路が異なる２系統のピックアップ光学系に組み込まれる光学素子であって、（ａ）第１系に配置すべきレンズ部であるコリメータ１２と、（ｂ）レンズ部を支持するとともに、第１系とは光路が異なるように並置される第２系に配置すべき液晶素子１４を支持可能な支持部１０ｂとを備え、（ｃ）コリメータ１２と支持部１０ｂとが一体成形される。支持部１０ｂにより２系統のコリメータ１２と液晶素子１４とを近接して配置した状態で一体化することができる。これにより、光ピックアップ装置を構成する部品点数が減り、製作工程を減少させることができ、組立を容易かつ低コストにすることができる。【選択図】図１
2008198292.tif 000002
【特許請求の範囲】
【請求項１】
光路が異なる２系統のピックアップ光学系に組み込まれる光学素子であって、
第１系に配置すべきレンズ部と、
前記第１系とは光路が異なるように並置される第２系に配置すべき液晶素子と、
が一体に構成された光学素子。
【請求項２】
前記レンズ部は、前記液晶素子の枠体に取り付けられる請求項１記載の光学素子。
【請求項３】
前記枠体は、前記レンズ部を保持するレンズ保持部を備える請求項１及び請求項２のいずれか一項記載の光学素子。
【請求項４】
前記レンズ部と前記液晶素子とを支持する支持部をさらに備え、
前記レンズ部と前記支持部とは一体成形され、
前記液晶素子は前記支持部に取り付けられる請求項１記載の光学素子。
【請求項５】
前記レンズ部は、コリメータ、ダイバージェントレンズ、ビームエキスパンダ、及びビームシュリンカのうちいずれか１つを構成するカップリングレンズであり、前記支持部は、通過する光束の波面を補正するための前記液晶素子を支持する請求項１から請求項４のいずれか一項記載の光学素子。
【請求項６】
前記カップリングレンズは、ＤＶＤ用及びＣＤ用の少なくとも一方に用いられ、前記液晶素子は、ＢＤ用に用いられる請求項５記載の光学素子。
【請求項７】
前記カップリングレンズは、ＢＤ用に用いられ、前記液晶素子は、ＤＶＤ用及びＣＤ用の少なくとも一方に用いられる請求項５記載の光学素子。
【請求項８】
前記レンズ部は、第１対物レンズであり、前記支持部は、前記液晶素子と、前記第１対物レンズとは異なるスポット径の第２対物レンズとを支持する請求項１から請求項４のいずれか一項記載の光学素子。
【請求項９】
前記第１対物レンズは、ＤＶＤ用及びＣＤ用の少なくとも一方に用いられ、前記液晶素子及び前記第２対物レンズは、ＢＤ用に用いられる請求項８記載の光学素子。
【請求項１０】
前記支持部は、前記液晶素子に対向して前記第２対物レンズを保持する固定手段を有する請求項８記載の光学素子。
【請求項１１】
前記第１系及び前記第２系を介して光情報記録媒体の情報を読み取り、若しくは光情報記録媒体に情報を書き込む光学装置を備える光ピックアップ装置であって、
前記光学装置の一部として請求項１から請求項１０のいずれか一項記載の光学素子を含む光ピックアップ装置。
【請求項１２】
前記光学素子は、前記レンズ部としてカップリングレンズを有する請求項１１記載の光ピックアップ装置。
【請求項１３】
前記光学素子は、可動状態又は固定状態で設置される請求項１１及び請求項１２のいずれか一項記載の光ピックアップ装置。
【請求項１４】
前記光学素子は、前記レンズ部として第１対物レンズを有する請求項１１及び請求項１３のいずれか一項記載の光ピックアップ装置。
【請求項１５】
前記光学素子には、前記液晶素子に対向して配置される第２対物レンズを位置決めするための当接部位が形成されている請求項１４記載の光ピックアップ装置。
【請求項１６】
前記当接部位は、光軸に対して垂直な面である請求項１５記載の光ピックアップ装置。
【請求項１７】
前記光学素子は、可動状態で設置される請求項１４から請求項１６のいずれか一項記載の光ピックアップ装置。
【請求項１８】
前記レンズ部は、回折レンズ又は屈折レンズのいずれかである請求項１１から請求項１７のいずれか一項記載の光ピックアップ装置。
【請求項１９】
前記光学素子を光軸方向、光軸に垂直な方向、及び光軸に傾斜する方向のいずれかに可動する駆動装置をさらに備える請求項１１から請求項１８のいずれか一項記載の光ピックアップ装置。
【発明の詳細な説明】
【技術分野】
【０００１】
本発明は、光情報記録媒体に対して情報の再生等を行うための光学素子及び光ピックアップ装置に関する。
【背景技術】
【０００２】
これまで、ＣＤ（コンパクト・ディスク）、ＤＶＤ（デジタル・バーサタイル・ディスク）、ＢＤ（ブルーレイ・ディスク）等の光情報記録媒体に対して情報の再生、記録を行うための各種光ピックアップ装置が開発、製造されている。なお、「情報の再生、記録」とは、情報についての再生及び／又は記録を意味する。例えば、２系統の光学系で構成され、２種の対物レンズ部によって、複数種の光情報記録媒体への情報の再生、記録をする光ピックアップ装置が開発されている（特許文献１参照）。また、光ピックアップ装置には、一般に複数の収差が発生するが、収差補正用液晶素子を用いることで、その収差を解消する方法が考えられている（特許文献２参照）。
【特許文献１】特開２００１−６７７００号公報
【特許文献２】特開２００４−１９２７１９号公報
【発明の開示】
【発明が解決しようとする課題】
【０００３】
上記のように、２系統の光路が設けられている光ピックアップ装置には、ＣＤ／ＤＶＤ用に使われる赤／赤外レーザ共用の光路と、高記録密度ディスク用に使われる青色レーザ用の光路とが設けられている。例えば、上記青色レーザの光路において、収差補正用液晶素子を組み込んで収差を補正することもできる。しかしながら、２系統の光路を個別に設ける関係上、光ピックアップ装置が大型化する。一方、これらをすべて共用の１系統とすると、例えば３波長共通に用いるコリメータ（カップリングレンズ）では、波長差が大きいために、光軸方向の移動が必須になり、かつ回折構造を設ける必要がある。また、回折構造にしても、３波長とも効率の良い設計は困難であり、さらに回折構造が微細になるという問題がある。
【０００４】
そこで、本発明は、光情報記録媒体への情報の再生、記録を省スペースの２光路の光学系によって好適に構成するための光学素子を提供することを目的とする。
【０００５】
また、本発明は、上記光学素子を組み込んだ光ピックアップ装置を提供することを目的とする。
【課題を解決するための手段】
【０００６】
上記課題を解決するため、本発明に係る光学素子は、光路が異なる２系統のピックアップ光学系に組み込まれる光学素子であって、（ａ）第１系に配置すべきレンズ部と、（ｂ）第１系とは光路が異なるように並置される第２系に配置すべき液晶素子とが一体に構成される。
【０００７】
上記光学素子では、２系統のレンズ部と液晶素子（特に光学的に機能する本体部分）とを近接して配置した状態で一体的に構成することができる。ここで、液晶素子は、第２系において光束の状態を調整することができる。なお、本発明の光学素子は、上記レンズ部と上記液晶素子とを組み込むことによって２系統で機能する複合光学素子となっている。
【０００８】
本発明の具体的な態様又は側面によれば、レンズ部は、液晶素子の枠体に取り付けられる。この場合、レンズ部を枠体に固定することで、レンズ部の配置を容易にすることができる。また、光ピックアップ装置を構成する部品点数が減り、製作工程を減少させることができ、組立を容易かつ低コストにすることができる。
【０００９】
本発明の別の態様によれば、枠体は、レンズ部を保持するレンズ保持部を備える。この場合、レンズ保持部を利用することで液晶素子に近接した位置にレンズ部を確実に保持することができる。
【００１０】
本発明のさらに別の態様によれば、光学素子は、レンズ部と液晶素子とを支持する支持部をさらに備え、レンズ部と支持部とは一体成形され、液晶素子は支持部に取り付けられる。これにより、光ピックアップ装置を構成する部品点数が減り、製作工程を減少させることができ、組立を容易かつ低コストにすることができる。
【００１１】
本発明のさらに別の態様によれば、レンズ部は、コリメータ、ダイバージェントレンズ、ビームエキスパンダ、及びビームシュリンカのうちいずれか１つを構成するカップリングレンズであり、支持部は、通過する光束の波面を補正するための液晶素子を支持する。この場合、レンズ部は、第１系において発散光を平行光に、平行光を発散光に、発散角を調整し、或いは光束径を変更することができる。また、液晶素子は、第２系において収差補正を可能にする。
【００１２】
本発明のさらに別の態様によれば、カップリングレンズは、ＤＶＤ用及びＣＤ用の少なくとも一方に用いられ、液晶素子は、ＢＤ用に用いられる。この場合、液晶素子によって、ＢＤ側についてピックアップ光学系の収差補正が可能になり、より高性能なＢＤ用のピックアップ光学系を提供することができる。
【００１３】
本発明のさらに別の態様によれば、カップリングレンズは、ＢＤ用に用いられ、液晶素子は、ＤＶＤ用及びＣＤ用の少なくとも一方に用いられる。この場合、液晶素子によって、ＣＤ／ＤＶＤ側についてピックアップ光学系の収差補正が可能になり、より高性能なＣＤ／ＤＶＤ用のピックアップ光学系を提供することができる。
【００１４】
本発明のさらに別の態様によれば、レンズ部は、第１対物レンズであり、支持部は、液晶素子と、第１対物レンズとは異なるスポット径の第２対物レンズとを支持する。第１系側では特定種類の光情報記録媒体に対して情報の再生、記録が可能になり、第２系では、別種類の光情報記録媒体に対しての情報の再生、記録に際して光束の調整が可能になる。また、一対の対物レンズを省スペースで配置することができるので、光ピックアップ装置を小型化することができ、２系統の位置ずれ低減によって、情報の読み取り、或いは書き込みの精度を高めることができる。
【００１５】
本発明のさらに別の態様によれば、第１対物レンズは、ＤＶＤ用及びＣＤ用の少なくとも一方に用いられ、液晶素子及び第２対物レンズは、ＢＤ用に用いられる。この場合、液晶素子によって、ＢＤの対物系の収差補正が可能になり、より高性能なＢＤ用の対物系を提供することができる。
【００１６】
本発明のさらに別の態様によれば、支持部は、液晶素子に対向して第２対物レンズを保持する固定手段を有する。この場合、支持部に第２対物レンズに対向して液晶素子を組み込むことから、第２系において収差の少ない小径のスポットを形成することができるとともに、固定手段によって対物レンズと液晶素子とをアライメントした状態で一体的に動かすことができる。
【００１７】
また、本発明に係る光ピックアップ装置は、第１系及び第２系を介して光情報記録媒体の情報を読み取り、若しくは光情報記録媒体に情報を書き込む光学装置を備える光ピックアップ装置であって、光学装置の一部として上記光学素子を含む。
【００１８】
上記光ピックアップ装置によれば、上述の光学素子を用いることにより、部品点数が減り、製作工程を減少させることができ、組立を容易かつ低コストにすることができる。
【００１９】
本発明の別の態様によれば、光学素子は、レンズ部としてカップリングレンズを有する。この場合、第１系側では所望の平行光、発散光等を形成することができ、第２系側では、光束の状態を調整することができる。
【００２０】
本発明のさらに別の態様によれば、光学素子は、可動状態又は固定状態で設置される。液晶素子を固定することで、液晶素子を電気的に駆動する配線の移動を考慮した取り回しが不要になる。一方、光学素子を可動にすることで、２系統を兼用した単一の駆動装置によって各系の補正が可能になる。
【００２１】
本発明のさらに別の態様によれば、光学素子は、レンズ部として第１対物レンズを有する。この場合、第１系側では特定種類の光情報記録媒体に対して情報の再生、記録が可能になり、第２系では、別種類の光情報記録媒体に対しての情報の再生、記録に際して光束の調整が可能になる。
【００２２】
本発明のさらに別の態様によれば、光学素子には、液晶素子に対向して配置される第２対物レンズを位置決めするための当接部位が形成されている。これにより、第２対物レンズを液晶素子に高精度で安定して対向配置させることができる。
【００２３】
本発明のさらに別の態様によれば、当接部位は、光軸に対して垂直な面である。これにより、第２対物レンズの光軸と第２系の光軸とのずれが抑制される。
【００２４】
本発明のさらに別の態様によれば、光学素子は、可動状態で設置される。この場合、対物レンズや液晶素子を適宜駆動することで、フォーカシング、トラッキング等を行うことができる。
【００２５】
本発明のさらに別の態様によれば、レンズ部は、回折レンズ又は屈折レンズのいずれかである。回折レンズの場合、レンズが回折構造を備えることにより、波長差によって回折作用が異なるため、異なる波長光に対して平行光等を射出させる共通の光学特性をもたせることができ、或いは異なる波長光に対して共通位置にスポットを形成することができる。
【００２６】
本発明のさらに別の態様によれば、光学素子は、固定して使用される。この場合、駆動装置の省略によって、ピックアップ装置の構造を簡単にすることができる。
【００２７】
本発明のさらに別の態様によれば、光学素子は、可動して使用される。この場合、例えば屈折レンズにすることにより、光学素子の製造容易性が確保される。また、異なる波長光に対して集光レンズ等であるレンズ部を変位させることができ、両波長光に関して通過光束の状態を一致又は等価にさせることができる。
【００２８】
本発明のさらに別の態様によれば、上記光ピックアップ装置は、光学素子を光軸方向、光軸に垂直な方向、及び光軸に傾斜する方向のいずれかに可動する駆動装置をさらに備える。この場合、光学素子を適宜可動させることで、光ピックアップ装置の収差を補正すること等が可能になる。
【発明を実施するための最良の形態】
【００２９】
〔第１実施形態〕
本発明の第１実施形態の光学素子について、図面を参照しつつ説明する。なお、図１（Ａ）は、本実施形態の光学素子を説明する正面図であり、図１（Ｂ）は、図１（Ａ）の平面図であり、図１（Ｃ）は、図１（Ａ）の光学素子の構成要素であるレンズユニットの正面図である。
【００３０】
図１（Ａ）及び図１（Ｂ）に示す光学素子１０は、光路が異なる２系統のピックアップ光学系に組み込まれる複合光学素子であって、レンズユニット１０ａと、液晶素子１４とを備える。このうち、図１（Ｃ）に示すレンズユニット１０ａは、それ自体でも光学素子を構成し、コリメータ１２と支持部１０ｂとを備える。ここで、コリメータ１２は、レンズユニット１０ａを単独で光学素子として機能させることができるレンズ部である。支持部１０ｂは、コリメータ１２と液晶素子１４とを並列配置した状態で保持する役割を有する。結果的に、コリメータ１２は、第１系の光路上に配置され、液晶素子１４は、第１系とは光路が異なるように並置される第２系の光路上に配置される。支持部１０ｂのうち、コリメータ１２を支持する半分をレンズ支持部１１ａと呼び、液晶素子１４を支持する半分を液晶素子支持部１１ｂと呼ぶものとする。レンズユニット１０ａは、例えばプラスチック材料から一括して成形された単一の部品であり、コリメータ１２と支持部１０ｂとが一体化されている。このように、レンズユニット１０ａを一体成形することにより、光学素子１０の製造を簡単にすることができる。
【００３１】
コリメータ１２は、第１系において光源側からの発散光を平行光にするためのカップリングレンズである。さらにこの場合、コリメータ１２は、回折構造を備える回折レンズである。コリメータ１２に設けたこのような回折構造は、波長差によって回折作用が異なるものとできることから、異なる波長光に対して平行光を射出させるという共通の光学特性をコリメータ１２に対してもたせることができる。
【００３２】
支持部１０ｂのうち液晶素子支持部１１ｂは、第２系において通過する光束の波面を補正するための液晶素子１４を支持する。液晶素子支持部１１ｂには、光束を通過させる開口部１５とアライメント手段であるアライメント用段差１６とが形成されており、アライメント段差１６の底面は、液晶素子１４を支持する。ここで、アライメント用段差１６の底面は、不図示の半導体レーザ側に向いており、液晶素子１４を半導体レーザ側から組み付ける構造となっているが、反対側から組み付ける構造とすることもできる。組立時には、液晶素子１４がアライメント用段差１６にはめ込まれ、液晶素子１４のうち端面や側面が、アライメント用段差１６の底面或いは側面に対してＵＶ硬化型の接着剤等によって接着される。結果的に、液晶素子１４が支持部１０ｂ、すなわち光学素子１０に対してアライメントされた状態で後発的に固定される。
【００３３】
液晶素子１４は、少なくとも２つに分割された不図示の分割領域を有するとともに、分割領域それぞれに不図示の透明電極パターンを有する。すなわち、液晶素子１４は、様々な種類の収差に対応した透明電極パターンを有する。液晶素子１４は、液晶素子駆動装置３１によって、その電極に電圧が印加される。これにより、液晶素子１４を通過するレーザ光束に対する屈折率を変化させ、レーザ光束に位相差を付与することができる。液晶素子駆動装置３１は、制御系からの入力信号に基づいて液晶素子１４を駆動して、光源光の波面を補正する。
【００３４】
以上説明した光学素子１０は、複数種の光情報記録媒体（不図示）に対応した光ピックアップ装置に組み込むべき、光束補正素子ないし光束調整素子となっている。すなわち、第１系であるコリメータ１２によって、不図示の第１対物レンズへの入射光を平行光にして特定種類の光情報記録媒体の情報記録面に対するスポット形成を可能にし、第２系である液晶素子１４によって、不図示の第２対物レンズによる別種類の光情報記録媒体の情報記録面に対するスポット形成に際しての収差等を補正することができる。つまり、例えば情報記録媒体が傾くことによって生じるレーザ光束のコマ収差等や、対物レンズが傾くことによって生じるレーザ光束の非点収差等を補正することができる。液晶駆動装置３１は、このようなコマ収差や非点収差を相殺すべく液晶素子１４に印加する電圧を調整する。なお、コリメータ１２と、液晶素子１４とは、各自の光軸ＯＡ１、ＯＡ２に垂直な特定平面（図１（Ａ）の紙面に平行な面）に略沿って隣接した状態で配置されることになる。
【００３５】
以下、コリメータ１２及び液晶素子１４の具体的な機能について説明する。コリメータ１２は、例えばＤＶＤ用の波長６５５ｎｍのレーザ光やＣＤ用の波長７８０ｎｍのレーザ光を対象として設計される。つまり、図１（Ｂ）に示すように、コリメータ１２の入射面１２ｂ側から例えば光軸ＯＡ１に沿って波長６５５ｎｍのレーザ光束Ｌ１１が入射すると、コリメータ１２の射出面１２ａ側から光軸ＯＡ１に平行な波長６５５ｎｍのレーザ光束Ｌ１２が射出される。このレーザ光束は、光軸ＯＡ１の延長上にある第１対物レンズに入射し、これに対向する不図示のＤＶＤの情報記録面上に集光し、ここに比較的大きな集光スポットを形成する。また、コリメータ１２の入射面１２ｂ側から例えば光軸ＯＡ１に沿って７８０ｎｍのレーザ光束Ｌ１１が入射すると、コリメータ１２の射出面１２ａ側から光軸ＯＡ１に平行な波長７８０ｎｍのレーザ光束Ｌ１２が射出される。このレーザ光束は、光軸ＯＡ１延長上にある第１対物レンズに入射し、これに対向する不図示のＣＤの情報記録面上に集光し、ここにＤＶＤの集光スポットよりもさらに大きい集光スポットを形成する。
【００３６】
一方、液晶素子１４は、例えばＢＤ用の波長４０５ｎｍ或いは４０８ｎｍ程度のレーザ光を対象として設計されている。つまり、図１（Ｂ）に示すように、液晶素子１４の入射面１４ｂ側から例えば光軸ＯＡ２に沿って波長４０５ｎｍ或いは４０８ｎｍ程度のレーザ光束Ｌ２１が入射すると、液晶素子１４の射出面１４ａ側から後述する第２対物レンズによるスポット径の収差を相殺するような収差を含む波長４０５ｎｍ或いは４０８ｎｍ程度のレーザ光束Ｌ２２が射出される。このレーザ光束は、光軸ＯＡ２延長上にある第２対物レンズに入射し、これに対向する不図示のＢＤの情報記録面上に集光し、ここに比較的小さな集光スポットを形成する。
【００３７】
上述の光学素子１０は、後述する光ピックアップ装置内において固定状態で設置される。光学素子１０とともに液晶素子１４を固定することで、液晶素子１４の電極によって液晶素子１４を電気的に駆動するための配線について、その移動を考慮した取り回しが不要になる。また、光学素子１０を変位させるための駆動装置の省略によって、光ピックアップ装置の構造を簡単にすることができる。
【００３８】
なお、支持部１０ｂによって２系統のコリメータ１２と液晶素子１４とを近接して配置した状態で一体化することにより、光ピックアップ系を構成する部品点数が減り、製作工程を減少させることができ、組立を容易かつ低コストにすることができる。
【００３９】
図２は、図１に示す光学素子１０を組み込んだ光ピックアップ装置の構成を概略的に示す斜視図である。
【００４０】
本実施形態において、光ピックアップ装置２０は、光学装置として第１系２０Ａと第２系２０Ｂとを備え、第１系２０Ａは、対物レンズユニット６９のうち第１対物レンズ６９Ａと第１本体光学系２１Ａとを含み、第２系２０Ｂは、第２対物レンズ６９Ｂと第２本体光学系２１Ｂとを含む。また、光ピックアップ装置２０は、両系２０Ａ、２０Ｂに共用のものとして、上記対物レンズユニット６９の他に、光学素子１０と、４５°ミラー６８とを含む。
【００４１】
第１系２０Ａには、ＣＤ／ＤＶＤ互換用の第１対物レンズ６９Ａに対応して、４５°ミラー６８のうち第１ミラー６８Ａと、光学素子１０のうちコリメータ１２と、第１半導体レーザ６１Ａと、第１偏光ビームスプリッタ６３Ａと、第１光検出器６７Ａとが配置されている。また、第２系２０Ｂには、ＢＤ用の第２対物レンズ６９Ｂに対応して、４５°ミラー６８のうち第２ミラー６８Ｂと、光学素子１０のうち液晶素子１４と、第２半導体レーザ６１Ｂと、第２偏光ビームスプリッタ６３Ｂと、第２光検出器６７Ｂとが配置されている。
【００４２】
対物レンズユニット６９は、複数種の光ディスクＤＤ、ＤＣ、ＤＢのいずれかに対向配置されるべき複合対物レンズとなっている。すなわち、第１対物レンズ６９Ａによって、入射光を比較的大きいスポット径で光情報記録媒体である光ディスクＤＤ又はＤＣ中に設けられた情報記録面ＭＤ又はＭＣに集光することができる。また、第２対物レンズ６９Ｂによって、入射光を比較的小さいスポット径で別タイプの光ディスクＤＢ中に設けられた情報記録面ＭＤに集光することができる。前者の第１対物レンズ６９Ａは、例えば回折レンズであり、波長差によって回折作用が異なるため、対象とする２波長に対してそれぞれ所望の開口数で集光させることができる。なお、対物レンズユニット６９は、図示のように一体型でも、ボビンはめ込み型でもよい。
【００４３】
この光ピックアップ装置において、２波長型の第１半導体レーザ６１Ａからのレーザ光は、共用の光学素子１０のうちコリメータ１２を含む第１系２０Ａを介して光情報記録媒体である光ディスクＤＤ、ＤＣに照射され、各光ディスクＤＤ、ＤＣからの反射光は、第１系２０Ａを介し、最終的に第１光検出器６７Ａに導かれる。また、第２半導体レーザ６１Ｂからのレーザ光は、光学素子１０のうち液晶素子１４を含む第２系２０Ｂを介して光情報記録媒体である光ディスクＤＢに照射され、各光ディスクＤＢからの反射光は、第２系２０Ｂを介し、最終的に第２光検出器６７Ｂに導かれる。
【００４４】
ここで、第１半導体レーザ６１Ａは、第１光ディスクＤＤの情報再生用のレーザ光（具体的にはＤＶＤ用で波長６５５ｎｍ）を発生し、その後レーザ光は、光学素子１０のコリメータ１２を経て平行化された後、第１対物レンズ６９Ａで集光され、ＮＡ０．６５相当のスポットが情報記録面ＭＤ上に形成される。また、第１半導体レーザ６１Ａは、第２光ディスクＤＣの情報再生用のレーザ光（具体的にはＣＤ用で波長７８０ｎｍ）を発生し、その後レーザ光は、光学素子１０のコリメータ１２を経て平行化された後、第１対物レンズ６９Ａで集光され、ＮＡ０．５３相当のスポットが情報記録面ＭＣ上に形成される。第２半導体レーザ６１Ｂは、第３光ディスクＤＢの情報再生用のレーザ光（具体的にはＢＤ用で波長４０５ｎｍ）を発生し、このレーザ光は、コリメータ６２を経て平行化された後、光学素子１０の液晶素子１４等を通過して第２対物レンズ６９Ｂで集光され、ＮＡ０．８５相当のスポットが情報記録面ＭＢ上に形成される。
【００４５】
一方、第１光検出器６７Ａは、第１光ディスクＤＤに記録された情報を光信号（具体的にはＤＶＤ用で波長６５５ｎｍ）として検出するとともに、第２光ディスクＤＣに記録された情報を光信号（具体的にはＣＤ用で波長７８０ｎｍ）として検出する。また、第２光検出器６７Ｂは、第３光ディスクＤＢに記録された情報を光信号（具体的にはＢＤ用で波長４０５ｎｍ）として検出する。
【００４６】
以下、図２の光ピックアップ装置の詳細な構造や具体的な動作について説明する。まず第１光ディスクＤＤを再生する場合、２波長型の第１半導体レーザ６１Ａから波長６５５ｎｍのレーザ光が射出され、射出された光束は、光学素子１０のコリメータ１２により平行光束となる。この光束は、第１偏光ビームスプリッタ６３Ａを透過した後、対物レンズユニット６９のうち対応する第１対物レンズ６９Ａにより第１光ディスクＤＤの情報記録面ＭＤに集光される。
【００４７】
情報記録面ＭＤで情報ビットにより変調されて反射された光束は、再び第１対物レンズ６９Ａを透過して、第１偏光ビームスプリッタ６３Ａに入射し、第１光検出器６７Ａの検出面上へ入射し、その出力信号を用いて、第１光ディスクＤＤに記録された情報の読み取り信号が得られる。
【００４８】
また、第１光検出器６７Ａの検出面上でのスポットの形状変化、つまり位置変化による光量変化を検出して、合焦（フォーカス）検出やトラック検出を行う。この検出に基づいて、対物レンズユニット６９を駆動させるアクチュエータ（不図示）が、第１半導体レーザ６１Ａからの光束を第１光ディスクＤＤの情報記録面ＭＤ上に結像させるように、対物レンズユニット６９すなわち第１対物レンズ６９Ａを光軸方向に移動させるとともに、この第１半導体レーザ６１Ａからの光束を所定のトラックに結像するように、同第１対物レンズ６９Ａすなわち対物レンズユニット６９を光軸に垂直な方向に移動させる。なお、フォーカシングやトラッキングを行うためのアクチュエータは、不図示の制御装置の制御下で動作する。
【００４９】
次に、第２光ディスクＤＣを再生する場合、２波長型の第１半導体レーザ６１Ａから波長７８０ｎｍのレーザ光が射出される。射出された光束は、光学素子１０のコリメータ１２を経て平行光束となり、第１偏光ビームスプリッタ６３Ａを透過し、対物レンズユニット６９のうち対応する第１対物レンズ６９Ａにより第２光ディスクＤＣの情報記録面ＭＣに集光される。
【００５０】
情報記録面ＭＣで情報ビットにより変調されて反射された光束は、再び第１対物レンズ６９Ａを透過して、第１偏光ビームスプリッタ６３Ａに入射し、ここで反射されて第１光検出器６７Ａの検出面上へ入射し、その出力信号を用いて、第２光ディスクＤＣに記録された情報の読み取り信号が得られる。
【００５１】
また、第１光ディスクＤＤの場合と同様、第１光検出器６７Ａの検出面上でのスポットの形状変化、つまり位置変化による光量変化を検出して、合焦検出やトラック検出を行い、不図示のアクチュエータにより、フォーカシング及びトラッキングのために、対物レンズユニット６９すなわち第１対物レンズ６９Ａを移動させる。
【００５２】
次に、第３光ディスクＤＢを再生する場合、第２半導体レーザ６１Ｂから波長４０５ｎｍのレーザ光が射出され、射出された光束は、コリメータ６２を経て平行光束となり、光学素子１０に設けた液晶素子１４を経て波面が補正され、対物レンズユニット６９の第２対物レンズ６９Ｂにより第３光ディスクＤＢの情報記録面ＭＢに集光される。
【００５３】
情報記録面ＭＢで情報ビットにより変調されて反射された光束は、再び第２対物レンズ６９Ｂを透過して、第２偏光ビームスプリッタ６３Ｂに入射し、ここで反射されて第２光検出器６７Ｂの検出面上へ入射し、その出力信号を用いて、第３光ディスクＤＢに記録された情報の読み取り信号が得られる。
【００５４】
また、第１及び第２光ディスクＤＤ、ＤＣの場合と同様、第２光検出器６７Ｂの検出面上でのスポットの形状変化、つまり位置変化による光量変化を検出して、合焦検出やトラック検出を行い、アクチュエータにより、フォーカシング及びトラッキングのために対物レンズユニット６９すなわち第２対物レンズ６９Ｂを移動させる。
【００５５】
また同時に、この検出に基づいて、例えば液晶素子１４に印加される電圧を調整することで、第２対物レンズ６９Ｂに発生する収差を補正することもできる。
【００５６】
なお、以上は光ディスクＤＤ、ＤＣ、ＤＢから情報を再生する場合の説明であったが、半導体レーザ６１Ａ、６１Ｂの出力を調整すること等により、光ディスクＤＤ、ＤＣ、ＤＢに情報を記録することもできる。
【００５７】
本実施形態によれば、光学素子１０を用いることにより、各系２０Ａ、２０Ｂで異なるスポット径を作ることができる。そのため、情報記録面におけるスポット径の規格が異なる２種以上の光情報記録媒体に対して、簡易に情報の再生、記録を行うことができる。
【００５８】
なお、本実施形態において、コリメータ１２を、ＣＤ／ＤＶＤ用に用い、液晶素子１４を、ＢＤ用に用いたが、コリメータ１２を、ＢＤ用に用い、液晶素子１４を、ＤＶＤ用及びＣＤ用に用いてもよい。これにより、液晶素子１４によって、ＣＤ／ＤＶＤ側についてピックアップ光学系の収差補正が可能になり、より高性能なＣＤ／ＤＶＤ用の光ピックアップ装置を提供することができる。
【００５９】
また、本実施形態において、コリメータ１２に回折レンズを用いたが、屈折レンズを用いてもよい。コリメータ１２を屈折面で構成した場合は、対物光学素子６９Ａの作用（例えば球面収差補正用の回折構造の作用を工夫することによってコリメータ１２に波長差による射出倍率の差に対応できる。この場合は、光学素子１０の駆動機構が不要であり、光ピックアップ装置の低コスト化、小型化が可能になる。
【００６０】
なお、本実施形態の光ピックアップ装置２０の変形例として、図３で示すように、ビームエキスパンダ６４を光軸ＯＡ２上の第２偏光ビームスプリッタ６３Ｂと第２ミラー６８Ｂの間に挿入してもよい。
【００６１】
〔第２実施形態〕
以下、第２実施形態に係る光学素子について説明する。なお、第２実施形態に係る光学素子１１０は、第１実施形態の光学素子１０を変形したものであり、特に説明しない部分については、第１実施形態と同様であるものとする。
【００６２】
図４（Ａ）及び４（Ｂ）に示す光学素子１１０は、光路が異なる２系統のピックアップ光学系に組み込まれる光学素子であって、レンズユニット１１０ａと、液晶素子１４とを備える。このうち、レンズユニット１１０ａは、それ自体でも光学素子を構成し、レンズ部であるコリメータ１１２と、コリメータ１１２と液晶素子１４とを支持する支持部１１０ｂとを備える。光学素子１１０は、例えばプラスチック材料から一括して成形された単一の部品であり、コリメータ１１２と支持部１１０ｂとが一体化されている。
【００６３】
コリメータ１１２は、レンズユニット１１０ａの本体部分を構成する屈折レンズであり、これにより光学素子１１０の製造容易性が確保される。つまり、屈折レンズは、単純な曲面であることから、レンズユニット１１０ａの成形が簡単になり、面精度の向上も容易になる。
【００６４】
上述の光学素子１１０は、後述する光ピックアップ装置内において可動状態で設置される。光学素子１１０は、支持部１１０ｂにおいて保持機構１１８に設けたガイドピン（不図示）にはめ込むためのガイド穴１１７を有する。光学素子１１０は、ガイドピンによって保持機構１１８に可動に保持された光学素子１１０を駆動させる駆動装置１１９によって、ガイドピンに沿った光軸方向にスライド移動させることができる。駆動装置１１９は、例えばステッピングモータ、電気機械変換素子、ピアゾアクチュエータ等を用いることができる。
【００６５】
光学素子１１０を適宜移動させることにより、光ピックアップ装置に組み込まれた対物レンズの収差を補正することができる。つまり、２系統を兼用した単一の駆動装置１１９によって各系の補正が可能になる。なお、以上では保持機構１１８により光学素子１１０を光軸方向に可動としたが、保持機構１１８により光学素子１１０を光軸に垂直な方向、及び光軸に傾斜する方向に可動することもできる。
【００６６】
コリメータ１１２は、効率の高い平行光束を射出させることができる。また、コリメータ１１２を光軸方向に対して傾いた方向に駆動させることにより、レーザの発光点位置の差によって生じるコマ収差を解消することができる。一方、液晶素子１４は、例えば光軸の垂直方向に動かすことによって、製造上の取り付けによって生じる誤差を解消することができる。
【００６７】
図５は、図４に示す光学素子１１０を組み込んだ光ピックアップ装置の構成を概略的に示す斜視図である。
【００６８】
本実施形態において、光ピックアップ装置１２０は、光学装置として第１系２０Ａと第２系２０Ｂとを備える。第１系２０Ａには、ＣＤ／ＤＶＤ互換用の第１対物レンズ６９Ａに対応して、４５°ミラー６８のうち第１ミラー６８Ａと、光学素子１１０のうちコリメータ１１２と、第１半導体レーザ６１Ａと、第１偏光ビームスプリッタ６３Ａと、第１光検出器６７Ａとが配置されている。また、第２系１２０Ｂには、ＢＤ用の第２対物レンズ６９Ｂに対応して、４５°ミラー６８のうち第２ミラー６８Ｂと、光学素子１１０のうち液晶素子１４と、第２半導体レーザ６１Ｂと、第２偏光ビームスプリッタ６３Ｂと、第２光検出器６７Ｂとが配置されている。
【００６９】
この光ピックアップ装置において、第１半導体レーザ６１Ａからのレーザ光は、共用の光学素子１１０を含む第１系２０Ａを介して光情報記録媒体である光ディスクＤＤ、ＤＣに照射され、各光ディスクＤＤ、ＤＣからの反射光は、第１系２０Ａを介し、最終的に第１光検出器６７Ａに導かれる。第１光検出器６７Ａの検出結果に基づいて、例えば光学素子１１０は駆動装置１９９により光軸方向、光軸に垂直な方向、及び光軸に傾斜する方向に駆動され、第１対物レンズ６９Ａの収差を補正することができる。また、第２半導体レーザ６１Ｂからのレーザ光は、光学素子１１０を含む第２系２０Ｂを介して光情報記録媒体である光ディスクＤＢに照射され、各光ディスクＤＢからの反射光は、第２系２０Ｂを介し、最終的に第２光検出器６７Ｂに導かれる。第２光検出器６７Ｂの検出結果に基づいて、例えば液晶素子１４に印加される電圧を調整することで、第２対物レンズ６９Ｂに発生する収差を補正することができる。
【００７０】
また、各光検出器６７Ａ、６７Ｂ上でのスポットの形状変化、つまり位置変化による光量変化を検出して、合焦検出やトラック検出を行い、不図示のアクチュエータにより、フォーカシング及びトラッキングのために対物レンズユニット６９を移動させる。
【００７１】
なお、以上は光ディスクＤＤ、ＤＣ、ＤＢから情報を再生する場合の説明であったが、半導体レーザ６１Ａ、６１Ｂの出力を調整すること等により、光ディスクＤＤ、ＤＣ、ＤＢに情報を記録することもできる。
【００７２】
また、本実施形態において、コリメータ１１２に屈折レンズを用いたが、回折レンズを用いてもよい。コリメータ１１２を回折面で構成した場合は、例えば光源である半導体レーザの波長特性（製造個体差等による発信波長のばらつき）を補正する機能を付与することができる。また、この他にも、温度変化による波長変動や、焦点距離変動を補正する機能を付与することも可能である。
【００７３】
また、光軸垂直方向に移動させることで、レーザの発光点位置によって生じるコマ収差を解消することができる。
【００７４】
なお、本実施形態の光ピックアップ装置２０において、第１実施形態と同様、図３で示すように、ビームエキスパンダ６４を光軸ＯＡ２上の第２偏光ビームスプリッタ６３Ｂと第２ミラー６８Ｂの間に挿入してもよい。
【００７５】
〔第３実施形態〕
以下、第３実施形態に係る光ピックアップ装置について説明する。なお、第３実施形態に係る光ピックアップ装置２２０は、第１実施形態の光ピックアップ装置２０を変形したものであり、特に説明しない部分については、第１実施形態と同様であるものとする。
【００７６】
図６は、本実施形態の光ピックアップ装置２２０を説明するための構成要素を同一平面に配置した展開図である。
【００７７】
本実施形態において、光ピックアップ装置２２０は、光学装置として第１系２０Ａと第２系２０Ｂとを備える。この光ピックアップ装置２２０において、両系２０Ａ、２０Ｂで共用される光学素子１０は、第１実施形態の場合のように第１及び第２偏光ビームスプリッタ６３Ａ、６３Ｂの前段ではなく、第１及び第２偏光ビームスプリッタ６３Ａ、６３Ｂと対物レンズユニット６９との間に固定状態で設置される。図６のように、光学素子１０の配置が変わっても、光ピックアップ装置２２０は、第１実施形態の光ピックアップ装置２０と同等の機能を達成できる。
【００７８】
〔第４実施形態〕
以下、第４実施形態に係る光ピックアップ装置について説明する。なお、第４実施形態に係る光ピックアップ装置３２０は、第２実施形態の光ピックアップ装置１２０を変形したものであり、特に説明しない部分については、第２実施形態と同様であるものとする。
【００７９】
図７は、本実施形態の光ピックアップ装置３２０の展開図である。
【００８０】
本実施形態において、光ピックアップ装置３２０は、光学装置として第１系２０Ａと第２系２０Ｂとを備える。この光ピックアップ装置３２０において、両系２０Ａ、２０Ｂで共用される光学素子１１０は、第１及び第２偏光ビームスプリッタ６３Ａ、６３Ｂと対物レンズユニット６９との間に可動状態で設置される。図７のように、光学素子１１０の配置が変わっても、光ピックアップ装置３２０は、第２実施形態の光ピックアップ装置１２０と同等の機能を達成できる。
【００８１】
〔第５実施形態〕
以下、第５実施形態に係る光ピックアップ装置について説明する。なお、第５実施形態に係る光ピックアップ装置は、第１及び第３実施形態の光学素子１０を変形したものであり、特に説明しない部分については、第１及び第３実施形態と同様であるものとする。
【００８２】
図８は、本実施形態における光ピックアップ装置に組み込まれる光学素子１０の周辺を説明する正面図である。
【００８３】
図８に示すように、光学素子は、第１実施形態等と同様のものであるが、コリメータ１２に替えて同様の凹レンズ８２をレンズ部として備える。また、光学素子１０のレーザ光射出側には凹レンズ８２に対向して凸レンズ８１が設けられている。光学素子１０の凹レンズ８２と凸レンズ８１を組み合わせることで、ビームエキスパンダとなる。これにより、レーザ光束の径を所望の程度に大きくすることができ、第１対物レンズ６９Ａに入射させるレーザ光束を好適にできる。
【００８４】
なお、両レンズ８１、８２は、逆行する光について考えるとビームシュリンカとして考えることもできる。
【００８５】
凸レンズ８１は、位置調整可能とすることもできる。この場合、凸レンズ８１を光軸ＯＡ１上に沿って微動させる調整により、レーザ光束のサイズを適宜調整することができる。
【００８６】
なお、凸レンズ８１は、光学素子１０のレーザ光入射側にも配置することができる。この場合、第１対物レンズ６９Ａに入射させるべきレーザ光束の断面を所望の程度に小さくすることができる。
【００８７】
〔第６実施形態〕
以下、第６実施形態に係る光ピックアップ装置について説明する。なお、第６実施形態に係る光ピックアップ装置は、第２及び第４実施形態の光ピックアップ装置１２０を変形したものであり、特に説明しない部分については、第２及び第４実施形態と同様であるものとする。
【００８８】
図９は、本実施形態における光ピックアップ装置に組み込まれる光学素子１１０の周辺を説明する正面図である。
【００８９】
図９に示すように、光学素子１１０のレーザ光射出側には凸レンズ８１が設けられている。光学素子１０の凹レンズ８２と凸レンズ８１を組み合わせることで、ビームエキスパンダとなる。これにより、レーザ光束の径を所望の程度に大きくすることができ、第１対物レンズ６９Ａに入射させるべきレーザ光束を好適にできる。
【００９０】
光学素子１１０が第２系２０Ｂ側で使用される場合、光学素子１１０を駆動装置１１９によって光軸方向に移動させることにより、第２対物レンズ６９Ｂの収差を補正することができる。また、光学素子１１０が第１系２０Ａで使用される場合、光学素子１１０を駆動装置１１９によって光軸方向やその他の方向に移動させることにより、レーザ光束の径を適宜調整することができ、或いは第１対物レンズ６９Ａの各種収差を補正することができる。
【００９１】
なお、凸レンズ８１は、光学素子１１０のレーザ光入射側にも配置することができる。この場合、第１対物レンズ６９Ａに入射されるべきレーザ光束の断面を所望の程度に小さくすることができる。
【００９２】
〔第７実施形態〕
以下、第７実施形態に係る光ピックアップ装置について説明する。なお、第７実施形態に係る光ピックアップ装置は、第１及び第３実施形態の光ピックアップ装置２０を変形したものであり、特に説明しない部分については、第１及び第３実施形態と同様であるものとする。
【００９３】
図１０は、本実施形態における光ピックアップ装置の光学素子４１０の周辺を説明する正面図である。
【００９４】
図１０に示すように、光学素子４１０において、ダイバージェントレンズ４１２がレンズ部となっている。これにより、レーザ光束が広がり、第２対物レンズ６９Ｂに入射させるべきレーザ光束の断面をさらに拡大することができる。
【００９５】
〔第８実施形態〕
以下、第８実施形態に係る光ピックアップ装置について説明する。なお、第８実施形態に係る光ピックアップ装置は、第７実施形態の光ピックアップ装置２０を変形したものであり、特に説明しない部分については、第７実施形態と同様であるものとする。
【００９６】
図１１は、本実施形態における光ピックアップ装置の光学素子４１０の周辺を説明する正面図である。
【００９７】
図１１に示すように、光学素子４１０において、ダイバージェントレンズ４１２がレンズ部となっている。光学素子４１０は、保持機構１１８に保持され、保持機構１１８に可動に保持された光学素子４１０を駆動させる駆動装置１１９によって、光軸方向にスライド移動させることができる。
【００９８】
光学素子４１０が第２系２０Ｂ側で使用される場合、光学素子４１０を駆動装置１１９によって光軸方向に移動させることにより、第２対物レンズ６９Ｂの収差を補正することができる。また、光学素子４１０が第１系２０Ａで使用される場合、光学素子４１０を駆動装置１１９によって光軸方向やその他の方向に移動させることにより、レーザ光束の径を適宜調整することができ、或いは第１対物レンズ６９Ａの各種収差を補正することができる。
【００９９】
〔第９実施形態〕
以下、第９実施形態に係る光学素子について説明する。なお、第９実施形態に係る光学素子５１０は、第１実施形態等の光学素子１０等を変形したものであり、特に説明しない部分については、第１実施形態等と同様であるものとする。
【０１００】
図１２は、本実施形態の光学素子を説明する正面図である。図１２に示す光学素子５１０は、光路が異なる２系統のピックアップ光学系に組み込まれる光学素子であって、第１系に配置すべき第１レンズ部材５１１と、この第１レンズ部材５１１の他に第２系に配置すべき第２レンズ部５６９Ｂ及び液晶素子５１４を支持するための支持部５１０ｂとを備える。光学素子５１０は、例えばプラスチック材料から一括して成形された単一の部品であり、第１レンズ部材５１１と支持部５１０ｂとが一体化されている。このように、光学素子５１０を一体成形することにより、光学素子５１０の成形を簡単にすることができる。
【０１０１】
第１対物レンズ５６９Ａは、レンズ部であり、第１レンズ部材５１１に一体化されている。第１対物レンズ５６９Ａは、回折レンズであり、回折構造を備えることにより、波長差によって回折作用が異なるため、異なる波長光に対して平行光を射出させる共通の光学特性をもたせることができる。
【０１０２】
支持部５１０ｂは、第１レンズ部材５１１を支持していない側の半分に接着型支持部５１３を備える。接着型支持部５１３は、開口５１５の一方側に形成された固定手段としての段差部分５１０ｃによって液晶素子５１４を支持し、開口５１５の他方側に形成された段差部分５１０ｄによって開口部５１５内に収まるように第２対物レンズ５６９Ｂを支持する。第２対物レンズ５６９Ｂは、第１対物レンズ５６９Ａとは異なるスポット径を実現する。
【０１０３】
第２対物レンズ５６９Ｂは、そのフランジ状の縁部に当接部位５６９ｃを有する。当接部位５６９ｃは、第２系２０Ｂの光軸ＯＡ２に対して垂直な面を有し、接着型支持部５１３のレンズ支持面５１３ｃに密着した状態で接着され、固定される。
【０１０４】
光学素子５１０は、支持部５１０ｂにおいて保持機構５１８に保持され、保持機構５１８を駆動させる駆動装置５１９によって、光軸方向又は光軸垂直方向のいずれかに変位させることができる。これにより、光学素子５１０を適宜変位させることで、対物レンズ５６９Ａ、５６９Ｂのトラッキングやフォーカシングを行うことができる。
【０１０５】
第１系にある第１対物レンズ５６９Ａによってあるサイズの集光スポットを形成し、第２系にある液晶素子５１４及び第２対物レンズ５６９Ｂによって、異なるサイズの集光スポットを形成する。この際、液晶素子５１４によって光源光の波面を補正することができ、第２対物レンズ５６９Ｂによって形成される情報記録面上のスポットの収差等を補正することができる。
【０１０６】
以下、第１対物レンズ５６９Ａ、第２対物レンズ５６９Ｂ、及び液晶素子５１４の具体的な機能について説明する。第１対物レンズ５６９Ａは、例えばＤＶＤ用の波長６５５ｎｍのレーザ光やＣＤ用の波長７８０ｎｍのレーザ光を対象として設計されている。つまり、図１２に示すように、第１対物レンズ５６９Ａの入射面５６９Ａｂ側から例えば光軸ＯＡ１に沿って波長６５５ｎｍのレーザ光束が入射すると、光軸ＯＡ１上にある不図示のＤＶＤの情報記録面上に集光し、ここに比較的大きな集光スポットを形成する。また、第１対物レンズ５６９Ａの入射面５６９Ａｂ側から例えば光軸ＯＡ１に沿って７８０ｎｍのレーザ光束が入射すると、光軸ＯＡ１上にある不図示のＣＤの情報記録面上に集光し、ここにＤＶＤの集光スポットよりもさらに大きい集光スポットを形成する。
【０１０７】
一方、液晶素子５１４及び第２対物レンズ５６９Ｂは、例えばＢＤ用の波長４０５ｎｍ或いは４０８ｎｍ程度のレーザ光を対象として設計されている。つまり、図１２に示すように、液晶素子５１４の入射面５１４ｂ側から例えば光軸ＯＡ２に沿って波長４０５ｎｍ或いは４０８ｎｍ程度のレーザ光束が入射すると、液晶素子５１４の射出面５１４ａ側から第２対物レンズ５６９Ｂによるスポット径の収差を相殺するような収差を含む波長４０５ｎｍ或いは４０８ｎｍ程度のレーザ光束が射出される。このレーザ光束は、隣接する第２対物レンズ５６９Ｂに入射し、光軸ＯＡ２上にある不図示のＢＤの情報記録面上に集光し、ここに比較的小さな集光スポットを形成する。
【０１０８】
本実施形態において、支持部５１４に第２対物レンズ５６９Ｂに対向して液晶素子５１４を組み込むことから、第２系において収差の少ない小径のスポットを形成することができる。つまり、液晶素子５１４によって、ＢＤの対物系の収差補正が可能になり、より高性能なＢＤ用の対物系を提供することができる。この際、第２対物レンズ５６９Ｂと液晶素子５１４とをアライメントした状態で一体的に動かせる。
【０１０９】
また、第１系側では特定種類の光情報記録媒体に対して情報の再生、記録が可能になり、第２系では、別種類の光情報記録媒体に対しての情報の再生、記録に際して光束の調整が可能になる。また、一対の対物レンズ５６９Ａ、５６９Ｂを省スペースで配置することができる。
【０１１０】
本実施形態の光ピックアップ装置は、例えば図２において対物レンズユニット６９を光学素子５１０に置き換えたものである。ここで、第１系の光路上のコリメータ１２を残し、第１対物レンズ５６９Ａに平行光を入射することができる。
【０１１１】
〔第１０実施形態〕
以下、第１０実施形態に係る光学素子について説明する。なお、第１０実施形態に係る光学素子６１０は、第９実施形態の光学素子５１０を変形したものであり、特に説明しない部分については、第９実施形態と同様であるものとする。
【０１１２】
図１３は、本実施形態の光学素子を説明する正面図である。図１３に示す光学素子６１０は、光路が異なる２系統のピックアップ光学系に組み込まれる光学素子であって、第１系に配置すべき第１レンズ部材６１１と、この第１レンズ部材６１１の他に第２系に配置すべき第２レンズ部６６９Ｂ及び液晶素子６１４を支持するための支持部６１０ｂとを備える。
【０１１３】
第１対物レンズ６６９Ａは、第１レンズ部材６１１に一体化されている。第１レンズ部材６１１は、第１系において第１対物レンズ６６９Ａは、屈折レンズであり、光学素子４１０の製造容易性が確保される。
【０１１４】
支持部６１０ｂは、第１レンズ部材６１１を支持していない側の半分に接着型支持部６１３を備える。接着型支持部６１３は、開口６１５の一方側に形成された固定手段としての段差部分６１０ｃによって液晶素子６１４を支持し、開口６１５の他方側に形成された段差部分６１０ｄによって開口部６１５内に収まるように第２対物レンズ６６９Ｂを支持する。第２対物レンズ６６９Ｂは、第１対物レンズ６６９Ａとは異なるスポット径を実現する。
【０１１５】
第２対物レンズ６６９Ｂは、その縁部に当接部位６６９ｃを有する。当接部位６６９ｃは、第２系２０Ｂの光軸ＯＡ２に対して垂直な面を有し、接着型支持部６１３のレンズ支持面６１３ｃに接着し、固定される。
【０１１６】
光学素子６１０は、支持部６１０ｂにおいて保持機構６１８に保持され、保持機構６１８を駆動させる駆動装置６１９によって、光軸方向又は光軸垂直方向のいずれかに変位させることができる。これにより、光学素子６１０を適宜変位させることで、対物レンズ６６９Ａ、６６９Ｂのトラッキングやフォーカシングを行うことができる。
【０１１７】
第１系にある第１対物レンズ６６９Ａによってあるサイズの集光スポットを形成し、第２系にある液晶素子６１４及び第２対物レンズ６６９Ｂによって、異なるサイズの集光スポットを形成する。この際、液晶素子６１４によって光源光の波面を補正することができ、第２対物レンズ６６９Ｂによって形成される情報記録面上のスポットの収差等を補正することができる。
【０１１８】
また、第１対物レンズ６６９ＡをＣＤ／ＤＶＤ用として用いる場合、第１対物レンズ６６９Ａを光軸方向に対して傾いた方向に駆動することにより、波長差によって生じる射出倍率差を補正することができる。
【０１１９】
本実施形態の光ピックアップ装置は、例えば図２において対物レンズユニット６９を光学素子６１０に置き換えたものである。ここで、第１系の光路上のコリメータ１２を残し、第１対物レンズ６６９Ａに平行光を入射することができる。
【０１２０】
〔第１１実施形態〕
以下、第１１実施形態に係る光学素子について説明する。なお、第１１実施形態に係る光学素子７１０は、第１実施形態等の光学素子１０を変形したものであり、特に説明しない部分については、第１実施形態と同様であるものとする。
【０１２１】
図１４（Ａ）は、本実施形態の光学素子７１０を説明する正面図であり、図１４（Ｂ）は、図１４（Ａ）の平面図である。
【０１２２】
第１実施形態において、光学素子１０は、支持部１０ｂとレンズ部であるコリメータ１２とを一体成形し、液晶素子１４を支持する構成であったが、本実施形態の光学素子７１０は、図１４のように、コリメータ１２と液晶素子１４とで光学素子７１０を構成し、コリメータ１２は、液晶素子１４の枠体７１０ｂに設けた保持部１８によって支持され、液晶素子１４の本体部分１４ａと並列配置した状態で取り付けられた構成になっている。これにより、コリメータ１２は、第１系２０Ａの光路上に配置され、液晶素子１４の本体部分１４ａは、第２系２０Ｂの光路上に配置される。
【０１２３】
なお、枠体７１０ｂには、保持部１８の他、コリメータ１２を露出させ、光束を通過させる開口部１７が形成されている。この開口部１７の縁部分は、保持部１８となっている。
【０１２４】
以上実施形態に即して本発明を説明したが、本発明は、上記実施形態に限定されるものではなく、様々な変形が可能である。例えば、本実施形態において、レンズユニット１０ａの支持部１０ｂの形状は図１等で示した形状に限らない。光学素子１０は、レンズ部であるコリメータ１２等と液晶素子１４とを近接に配置することができればよく、例えば光軸方向からみて支持部１０ｂの形状をレンズ部と液晶素子１４の輪郭に沿った形状にしてもよい。また、片方が他方を支えるようなコの字型の形状にしてもよい。
【０１２５】
また、第９及び第１０実施形態において、第２対物レンズ５６９Ｂ、６６９Ｂと接着型支持部５１３、６１３とは、別に成形されているが、第２対物レンズ５６９Ｂ、６６９Ｂと接着型支持部５１３、６１３とを一体に成形してもよい。
【図面の簡単な説明】
【０１２６】
【図１】図１（Ａ）は、第１実施形態の光学素子の正面図であり、図１（Ｂ）は、光学素子の平面図であり、図１（Ｃ）は、レンズユニットの正面図である。
【図２】図１に示す光学素子を組み込んだ光ピックアップ装置の構成を示す斜視図である。
【図３】第１及び第２実施形態の光ピックアップ装置の変形例を示す展開図である。
【図４】図４（Ａ）は、第２実施形態の光学素子の構成を示す正面図であり、図４（Ｂ）は、光学素子の平面図である。
【図５】図４に示す光学素子を組み込んだ光ピックアップ装置の構成を示す斜視図である。
【図６】第３実施形態の光ピックアップ装置の構成を示す展開図である。
【図７】第４実施形態の光ピックアップ装置の構成を示す展開図である。
【図８】第５実施形態の光学素子周辺の構成を示す正面図である。
【図９】第６実施形態の光学素子周辺の構成を示す正面図である。
【図１０】第７実施形態光学素子周辺の構成を示す正面図である。
【図１１】第８実施形態光学素子周辺の構成を示す正面図である。
【図１２】第９実施形態の光学素子の構成を示す正面図である。
【図１３】第１０実施形態の光学素子の構成を示す正面図である。
【図１４】図１４（Ａ）は、第１１実施形態の光学素子の構成を示す正面図であり、図１４（Ｂ）は、光学素子の平面図である。
【符号の説明】
【０１２７】
１０、１１０、４１０、５１０、６１０、７１０…光学素子、  １０ａ、１１０ａ…レンズユニット、  １０ｂ、１１０ｂ、５１０ｂ、６１０ｂ…支持部、  １１ａ…レンズ支持部、  １１ｂ…液晶支持部、  １２、１１２…コリメータ、  １４、５１４、６１４…液晶素子、  ３１…液晶駆動装置、  １１８…保持機構、  １１９…駆動装置、  ６１Ａ、６１Ｂ…半導体レーザ、  ６２…コリメータ、  ６３Ａ、６３Ｂ…偏光ビームスプリッタ、  ６７Ａ，６７Ｂ…光検出器、  ６８Ａ、６８Ｂ…４５°ミラー、  ６９…対物レンズユニット、  ２０、１２０、２２０、３２０…光ピックアップ装置
【図１】
2008198292.tif 000003
【図２】
2008198292.tif 000004
【図３】
2008198292.tif 000005
【図４】
2008198292.tif 000006
【図５】
2008198292.tif 000007
【図６】
2008198292.tif 000008
【図７】
2008198292.tif 000009
【図８】
2008198292.tif 000010
【図９】
2008198292.tif 000011
【図１０】
2008198292.tif 000012
【図１１】
2008198292.tif 000013
【図１２】
2008198292.tif 000014
【図１３】
2008198292.tif 000015
【図１４】
2008198292.tif 000016